(57)【要約】【課題】粉状の深蒸し茶、粒状の煎茶・玉露及び葉状の番茶等の茶葉粒度（サイズ）が大小異なる茶葉であっても、一つの急須で茶を入れることができる急須を提供することにある。【解決手段】開口部１５を有する縁部の一箇所に搾り出し口１８を有する急須本体１１と、急須本体１１の開口部１５に着脱自在に設けられる蓋体１２とからなり、蓋体１２の外周縁部１９に開口溝のサイズが大小異なる複数の注ぎ口２１，２２，２３を有し、急須本体１１に収容する茶葉粒度によって蓋体１２の注ぎ口２１，２２，２３を選択して急須本体１１の搾り出し口１８に位置決めできるようにしたことを特徴とする急須にある。【選択図】  図１
0003102200.tif 000002
【実用新案登録請求の範囲】
【請求項１】
開口部を有する縁部の一箇所に搾り出し口を有する急須本体と、
前記急須本体の開口部に着脱自在に設けられる蓋体とからなり、
前記蓋体の外周縁部に開口溝のサイズが大小異なる複数の注ぎ口を有し、前記急須本体に収容する茶葉粒度によって前記蓋体の注ぎ口を選択して前記急須本体の搾り出し口に位置決めできるようにしたことを特徴とする急須。
【請求項２】
開口部を有する縁部の一箇所に搾り出し口を有する急須本体と、
前記急須本体の開口部に着脱自在に設けられる蓋体とからなり、
前記蓋体の外周縁部に開口溝のサイズが大小異なる２〜３種類の注ぎ口を有し、前記急須本体に収容する茶葉が、粉状、粒状及び葉状の形態によって前記蓋体の２〜３種類の注ぎ口の一つを選択して前記急須本体の搾り出し口に位置決めできるようにしたことを特徴とする急須。
【請求項３】
前記注ぎ口は、蓋体の外周縁部に形成した切欠溝で、１個もしくは複数個によって一つの注ぎ口を形成していることを特徴とする請求項１または２記載の急須。
【請求項４】
前記急須本体の内周壁面の傾斜角は、その底面に対してほぼ４５°であることを特徴とする請求項１または２記載の急須。
【考案の詳細な説明】
【技術分野】
【０００１】
この考案は、深蒸し茶、煎茶・玉露、番茶等の茶葉粒度（サイズ）が大小異なる茶葉でも一つの急須で茶が入れられる急須に関する。
【背景技術】
【０００２】
茶を入れるための急須は、容器からなる急須本体に、注ぎ口及びこの注ぎ口に連通する茶漉し部を有し、急須本体の開口部には着脱自在な蓋体が設けられている。そして、急須本体に適量の茶葉を収容した後、熱湯を注ぎで煎じ、煎じた茶を注ぎ口から茶碗に注いで飲用している。
【０００３】
ところで、茶葉には、粉状の深蒸し茶、粒状の煎茶・玉露及び葉状の番茶等の茶葉粒度（サイズ）が大小異なる複数種類の茶葉があり、従って、粉状の深蒸し茶や粒状の煎茶・玉露のように茶葉粒度が細かいにも拘わらず、網目が大きい茶漉し部を有する急須を使用した場合、茶葉が茶漉し部を通過して湯と一緒に茶碗に注がれてしまう。また、逆に、番茶のように茶葉粒度が大きいにも拘わらず、網目が小さい茶漉し部を有する急須を使用した場合、茶葉によって茶漉し部が目詰まりしてしまう。
【考案の開示】
【考案が解決しようとする課題】
【０００４】
そこで、前述のような問題を解消するために、粉状の深蒸し茶、粒状の煎茶・玉露及び葉状の番茶等の茶葉粒度（サイズ）が大小異なる茶葉用に、網目サイズが異なる専用の急須を用意すればよいが、複数個の急須を用意することは不経済であり、また煩雑で急須を間違えて使用してしまうことがある。
【０００５】
この考案は、前記事情に着目してなされたもので、その目的とするところは、粉状の深蒸し茶、粒状の煎茶・玉露及び葉状の番茶等の茶葉粒度（サイズ）が大小異なる茶葉であっても、一つの急須で茶を入れることができ、経済的であるとともに、煩雑性を解消できる急須を提供することにある。
【課題を解決するための手段】
【０００６】
この考案は、前記目的を解決するために、請求項１は、開口部を有する縁部の一箇所に搾り出し口を有する急須本体と、前記急須本体の開口部に着脱自在に設けられる蓋体とからなり、前記蓋体の外周縁部に開口溝のサイズが大小異なる複数の注ぎ口を有し、前記急須本体に収容する茶葉粒度によって前記蓋体の注ぎ口を選択して前記急須本体の搾り出し口に位置決めできるようにしたことを特徴とする急須にある。
【０００７】
請求項２は、開口部を有する縁部の一箇所に搾り出し口を有する急須本体と、前記急須本体の開口部に着脱自在に設けられる蓋体とからなり、前記蓋体の外周縁部に開口溝のサイズが大小異なる２〜３種類の注ぎ口を有し、前記急須本体に収容する茶葉が、粉状、粒状及び葉状の形態によって前記蓋体の２〜３種類の注ぎ口の一つを選択して前記急須本体の搾り出し口に位置決めできるようにしたことを特徴とする急須にある。
【０００８】
請求項３は、請求項１または２の前記注ぎ口は、蓋体の外周縁部に形成した切欠溝で、１個もしくは複数個によって一つの注ぎ口を形成していることを特徴とする。
【０００９】
請求項４は、請求項１または２の前記急須本体の内周壁面の傾斜角は、その底面に対してほぼ４５°であることを特徴とする。
【考案の効果】
【００１０】
この考案によれば、粉状の深蒸し茶、粒状の煎茶・玉露及び葉状の番茶等の茶葉粒度（サイズ）が大小異なる茶葉であっても、一つの急須で茶を入れることができるという効果がある。
【考案を実施するための最良の形態】
【００１１】
以下、この考案の実施の形態を図面に基づいて説明する。
【００１２】
図1及び図２は第１の実施形態を示し、図１は急須の平面図、図２は急須の縦断側面図である。急須は、陶器などの急須本体１１と蓋体１２とから構成されている。急須本体１１は、底面１３に対して傾斜角がほぼ４５°の内周壁面１４を有する平型椀状容器で、上部に大きく開口する開口部１５が設けられている。急須本体１１の開口縁部１６には蓋体１２を支持する蓋受け部１７が設けられているとともに、開口縁部１６の一箇所には開口部１５と連続して搾り出し口１８が設けられている。
【００１３】
また、蓋体１２は、その外周縁部１９が急須本体１１の蓋受け部１７に支持されて開口部１５を閉塞するように円盤状に形成されている。蓋体１２の上面中央部には摘み部２０が設けられている。さらに、蓋体１２の外周縁部１９には１２０°間隔に第１の注ぎ口２１、第２の注ぎ口２２及び第３の注ぎ口２３が設けられている。
【００１４】
第１の注ぎ口２１は、例えば粉状の深蒸し茶用として狭幅の切欠溝２１ａが等間隔に複数個設けられている。第２の注ぎ口２２は、例えば粒状の煎茶・玉露用として中幅の切欠溝２２ａが等間隔に複数個設けられている。さらに、第３の注ぎ口２３は、葉状の番茶用として広幅の切欠溝２３ａが等間隔に複数個設けられている。
【００１５】
このように一つの蓋体１２には茶葉粒度（サイズ）の大小によって注ぎ口が選択できるように第１の注ぎ口２１、第２の注ぎ口２２及び第３の注ぎ口２３が設けられている。そして、深蒸し茶を急須本体１１に収容した場合には、図１に示すように、第１の注ぎ口２１を搾り出し口１８に位置決めする。煎茶・玉露を急須本体１１に収容した場合には、第２の注ぎ口２２を搾り出し口１８に位置決めし、番茶を急須本体１１に収容した場合には、第３の注ぎ口２３を搾り出し口１８に位置決めすることにより、一つの急須で三種類あるいは四種類の茶を入れることができる。
【００１６】
すなわち、第１の注ぎ口２１、第２の注ぎ口２２及び第３の注ぎ口２３は、粉状の深蒸し茶、粒状の煎茶・玉露及び葉状の番茶等の茶葉粒度（サイズ）に見合った切欠溝２１ａ，２２ａ，２３ａの幅（開口幅）に形成されている。従って、茶葉が注ぎ口２１，２２，２３を通過して湯と一緒に茶碗に注がれてしまったり、逆に、茶葉によって注ぎ口２１,２２,２３が目詰まりしてしまうことはない。また、注ぎ口２１,２２,２３は蓋体１２の外周縁部１９に下向きに開口する切欠溝によって形成されているため、茶葉が目詰まりしたとしても、急須本体１１の内部に落下しやすく、目詰まりが簡単に取り除かれる。
【００１７】
図３及び図４は第２の実施形態を示し、第１の実施形態と同一構成部分は同一番号を付して説明を省略する。本実施形態は、蓋体１２の外周縁部１９に対称的に第１の注ぎ口２１と第２の注ぎ口２２とを設けたものである。第１の注ぎ口２１は、例えば粉状の深蒸し茶用として狭幅の切欠溝２１ａが等間隔に複数個設けられている。第２の注ぎ口２２は、例えば粒状の煎茶・玉露用として中幅の切欠溝２２ａが等間隔に複数個設けられている。
【００１８】
従って、深蒸し茶を急須本体１１に収容した場合には、図３に示すように、第１の注ぎ口２１を搾り出し口１８に位置決めし、煎茶・玉露を急須本体１１に収容した場合には、第２の注ぎ口２２を搾り出し口１８に位置決めすることにより、一つの急須で二種類の茶を入れることができる。
【００１９】
また、第１及び第２の実施形態で共通することは、急須本体１１は、底面１３に対して傾斜角がほぼ４５°の内周壁面１４を有する平型椀状に形成されている。従って、急須を４５°傾けるだけで茶碗に茶を容易に注ぐことができる。
【００２０】
なお、急須を陶器によって形成した場合について説明したが、急須の材質及び急須本体の形状については限定されるものではない。
【００２１】
なお、この考案は、前記実施形態そのままに限定されるものではなく、実施段階ではその要旨を逸脱しない範囲で構成要素を変形して具体化できる。また、前記実施形態に開示されている複数の構成要素の適宜な組合せにより種々の考案を形成できる。例えば、実施形態に示される全構成要素から幾つかの構成要素を削除してもよい。さらに、異なる実施形態に亘る構成要素を適宜組合わせてもよい。
【図面の簡単な説明】
【００２２】
【図１】この考案の第１の実施形態を示し、急須の平面図。
【図２】同実施形態の急須の縦断側面図。
【図３】この考案の第２の実施形態を示し、急須の平面図。
【図４】同実施形態の急須の縦断側面図。
【符号の説明】
【００２３】
１１…急須本体、１２…蓋体、１５…開口部、１８…搾り出し口、１９…外周縁部、２１，２２，２３…注ぎ口
【図１】
0003102200.tif 000003
【図２】
0003102200.tif 000004
【図３】
0003102200.tif 000005
【図４】
0003102200.tif 000006